【手続補正書】
【提出日】平成23年8月29日(2011.8.29)
【手続補正１】
【補正対象書類名】特許請求の範囲
【補正対象項目名】全文
【補正方法】変更
【補正の内容】
【特許請求の範囲】
【請求項１】
像担持体上の静電潜像をトナーを用いて現像してトナー像を形成する現像工程と、該像担持体上のトナー像を転写材に転写する転写工程と、転写工程後に該像担持体上に残存する転写残トナーをブレードによりクリーニングするクリーニング工程とを有する画像形成方法において、
前記像担持体表面の十点平均粗さ（Ｒｚｊｉｓ）が０．３μｍ以上２．５μｍ以下であり、
前記トナーは、結着樹脂、着色剤、離型剤を含有するトナー粒子に、体積基準におけるメジアン径（Ｄ５０）が０．１０μｍ以上１．００μｍ以下である脂肪酸金属塩を外添したトナーであり、
前記トナーにおける前記脂肪酸金属塩の遊離率が１．０％以上３０．０％以下であることを特徴とする画像形成方法。
【請求項２】
前記脂肪酸金属塩は、下記（１）式で定義されるスパン値Ｂが１．７５以下であることを特徴とする請求項１に記載の画像形成方法。
スパン値Ｂ＝（Ｄ９５ｓ−Ｄ５ｓ）／Ｄ５０ｓ    （１）式
Ｄ５ｓ：体積基準における脂肪酸金属塩の５％積算径
Ｄ５０ｓ：体積基準における脂肪酸金属塩のメジアン径（Ｄ５０）
Ｄ９５ｓ：体積基準における脂肪酸金属塩の９５％積算径
【請求項３】
前記トナー粒子の下記（２）式で定義されるスパン値Ａと前記脂肪酸金属塩のスパン値Ｂが下記（３）式を満たすことを特徴とする請求項１または２に記載の画像形成方法。
スパン値Ａ＝（Ｄ９０ｔ−Ｄ１０ｔ）／Ｄ５０ｔ    （２）式
Ｄ１０ｔ：個数基準におけるトナー粒子の１０％積算径
Ｄ５０ｔ：個数基準におけるトナー粒子のメジアン径（Ｄ５０）
Ｄ９０ｔ：個数基準におけるトナー粒子の９０％積算径
０．２５≦（Ａ／Ｂ）≦０．７５    （３）式
【請求項４】
前記脂肪酸金属塩はステアリン酸亜鉛あるいはステアリン酸カルシウムであることを特徴とする請求項１乃至３のいずれかに記載の画像形成方法。
【請求項５】
前記脂肪酸金属塩の含有量が前記トナー粒子１００質量部に対し０．０２質量部以上０．５０質量部以下であることを特徴とする請求項１乃至４のいずれかに記載の画像形成方法。
【請求項６】
前記脂肪酸金属塩の体積基準におけるメジアン径（Ｄ５０）が０．１５μｍ以上０．７５μｍ以下であることを特徴とする請求項１乃至５のいずれかに記載の画像形成方法。
【請求項７】
前記トナーにおける前記脂肪酸金属塩の遊離率が２．０％以上２５．０％以下であることを特徴とする請求項１乃至６のいずれかに記載の画像形成方法。
【請求項８】
前記脂肪酸金属塩は非イオン性界面活性剤を１０ｐｐｍ以上５００ｐｐｍ以下で含有することを特徴とする請求項１乃至７のいずれかに記載の画像形成方法。
【請求項９】
前記像担持体表面の十点平均粗さ（Ｒｚｊｉｓ）が０．４μｍ以上１．５μｍ以下であることを特徴とする請求項１乃至８のいずれかに記載の画像形成方法。
【請求項１０】
前記像担持体表面に球状痕跡窪みを有することを特徴とする請求項１乃至９のいずれかに記載の画像形成方法。
【請求項１１】
前記像担持体表面の凹凸平均間隔Ｓｍは１０μｍ以上１００μｍ以下であることを特徴とする請求項１乃至１０のいずれかに記載の画像形成方法。
【手続補正２】
【補正対象書類名】明細書
【補正対象項目名】００１４
【補正方法】変更
【補正の内容】
【００１４】
上記目的を達成するため、本出願に係わる第１の発明は、像担持体上の静電潜像をトナーを用いて現像してトナー像を形成する現像工程と、該像担持体上のトナー像を転写材に転写する転写工程と、転写工程後に該像担持体上に残存する転写残トナーをブレードによりクリーニングするクリーニング工程とを有する画像形成方法において、
前記像担持体表面の十点平均粗さ（Ｒｚｊｉｓ）が０．３μｍ以上２．５μｍ以下であり、
前記トナーは、結着樹脂、着色剤、離型剤を含有するトナー粒子に、体積基準におけるメジアン径（Ｄ５０）が０．１０μｍ以上１．００μｍ以下である脂肪酸金属塩を外添したトナーであり、
前記トナーにおける前記脂肪酸金属塩の遊離率が１．０％以上３０．０％以下であることを特徴とする。
【手続補正３】
【補正対象書類名】明細書
【補正対象項目名】００１６
【補正方法】変更
【補正の内容】
【００１６】
本出願に係わる第３の発明は、前記トナー粒子の下記（２）式で定義されるスパン値Ａと前記脂肪酸金属塩のスパン値Ｂが下記（３）式を満たすことを特徴とする。
【手続補正４】
【補正対象書類名】明細書
【補正対象項目名】００１７
【補正方法】変更
【補正の内容】
【００１７】
スパン値Ａ＝（Ｄ９０ｔ−Ｄ１０ｔ）／Ｄ５０ｔ    （２）式
Ｄ１０ｔ：個数基準におけるトナー粒子の１０％積算径
Ｄ５０ｔ：個数基準におけるトナー粒子のメジアン径（Ｄ５０）
Ｄ９０ｔ：個数基準におけるトナー粒子の９０％積算径
０．２５≦（Ａ／Ｂ）≦０．７５    （３）式
【手続補正５】
【補正対象書類名】明細書
【補正対象項目名】００２６
【補正方法】変更
【補正の内容】
【００２６】
更に、像担持体表面の凹凸平均間隔Ｓｍは１０μｍ以上１００μｍ以下であることが好ましい。Ｓｍが１０μｍより小さいと粗面化した効果が得られず、凹部が連なっているために、スジ状の画像欠陥が発生し易くなる。Ｓｍが１００μｍより大きいとトナーすり抜け等のクリーニング不良が多くなる。
【手続補正６】
【補正対象書類名】明細書
【補正対象項目名】０１０１
【補正方法】変更
【補正の内容】
【０１０１】
トナー粒子は高現像、高画質性の観点から、トナー粒子の個数基準の粒度分布データより求められるスパン値Ａ（スパン値Ａ＝（Ｄ９０ｔ−Ｄ１０ｔ）／Ｄ５０ｔ）と前記脂肪酸金属塩の体積基準の粒度分布データより求められるスパン値Ｂの比（Ａ／Ｂ）が０．２５以上０．７５以下であることが好ましい。スパン値の比がこのような範囲であると、トナー粒子の粒度分布に対し、脂肪酸金属塩の粒度分布のバランスが取れ、カブリと濃度安定性のバランスがとれた現像性の高い高画質な画像が得られる。スパン値の比が０．２５より小さい場合、トナー粒子の粒度分布に対し脂肪酸金属塩の粒度分布がブロードであるため帯電が不均一となりカブリが発生し易くなる。逆に０．７５を超えるとトナー粒子の粒度分布に対し脂肪酸金属塩の粒度分布がシャープすぎるため、カブリの抑制には効果があるものの、理由は定かではないが濃度の安定性が得られず、濃度低下が発生し易くなる。カブリと濃度安定性のバランスを考慮するとスパン値の比は０．３０以上０．７０以下がより好ましい。
【手続補正７】
【補正対象書類名】明細書
【補正対象項目名】０１９０
【補正方法】変更
【補正の内容】
【０１９０】
＜トナーの個数平均粒径（Ｄ１）とスパン値Ａの測定＞
トナーの個数平均粒径（Ｄ１）は、以下のようにして算出する。測定装置としては、１００μｍのアパーチャーチューブを備えた細孔電気抵抗法による精密粒度分布測定装置「コールター・カウンター  Ｍｕｌｔｉｓｉｚｅｒ  ３」（登録商標、ベックマン・コールター社製）を用いる。測定条件の設定及び測定データの解析は、付属の専用ソフト「ベックマン・コールター  Ｍｕｌｔｉｓｉｚｅｒ  ３  Ｖｅｒｓｉｏｎ３．５１」（ベックマン・コールター社製）を用いる。尚、測定は実効測定チャンネル数２万５千チャンネルで行なう。
【手続補正８】
【補正対象書類名】明細書
【補正対象項目名】０２０３
【補正方法】変更
【補正の内容】
【０２０３】
＜像担持体のＲｚｊｉｓ及びＳｍの測定＞
像担持体の十点平均粗さ（Ｒｚｊｉｓ）及び、凹凸の平均間隔（Ｓｍ）の測定はＪＩＳ−Ｂ０６０１−２００１に記載の方法に準じる。
【手続補正９】
【補正対象書類名】明細書
【補正対象項目名】０２０６
【補正方法】変更
【補正の内容】
【０２０６】
上記凹凸の平均間隔（Ｓｍ）とは、粗さ曲線からその平均線の方向に基準長さＬだけ
抜き取り、１つの山及びそれに隣り合う１つの谷に対応する平均線の長さの和の平均値で
ある。（下記（６）式及び図３参照）
【手続補正１０】
【補正対象書類名】明細書
【補正対象項目名】０２６２
【補正方法】変更
【補正の内容】
【０２６２】
【表５】
2010054884.tif 000001
【手続補正１１】
【補正対象書類名】明細書
【補正対象項目名】０３１６
【補正方法】変更
【補正の内容】
【０３１６】
【図１】本発明の実施例に使用した脂肪酸金属塩１の粒度分布である。
【図２】十点平均粗さ（Ｒｚｊｉｓ）の解析曲線を示す図である。
【図３】凸凹の平均間隔（Ｓｍ）の解析曲線を示す図である。
【図４】本発明で示されるディンプル形状の概略図である。
【図５】ブラスト装置の概略図である。
【図６】電子写真装置の概略図である。